(57)【要約】【課題】表示画面上の表示領域にオペレータの所望範囲を表示するための試行錯誤の負担を軽減すること。【解決手段】入力装置を介して入力された入力操作に従い、分析データの波形を表示する表示領域を表示装置に表示する表示制御装置において、入力操作により表示領域への指定領域が入力されると、表示領域に現在表示している分析データの表示範囲を指定領域内に収めるように縮小して表示した指定領域外の表示領域を表示することで、表示領域に表示されている分析データの波形を縮小することを特徴とする。【選択図】図１
2008101960.tif 000002
【特許請求の範囲】
【請求項１】
入力装置を介して入力された入力操作に従い、分析データの波形を表示する表示領域を表示装置に表示する表示制御装置であって、
前記表示制御装置は、分析制御部および分析データ解析部を有し、
前記分析制御部は、前記分析データの波形を取得し、
前記分析データ解析部は、入力操作により前記表示領域への指定領域が入力されると、前記表示領域に現在表示している前記分析データの表示範囲を指定領域内に収めるように縮小して表示し、かつ、縮小して表示した前記指定領域外の表示領域を表示することで、前記表示領域に表示されている前記分析データの波形を縮小すること
を特徴とする表示制御装置。
【請求項２】
前記分析データ解析部は、入力操作により前記表示領域への指定領域が入力されると、前記表示領域の新たな前記表示範囲を、現在表示している前記表示領域の指定領域に対応する前記表示範囲に変更することで、前記表示領域に表示されている前記分析データの波形を拡大することを特徴とする請求項１に記載の表示制御装置。
【請求項３】
前記分析データ解析部は、入力操作により指定キーが押し続けられていたときには前記分析データの波形を縮小し、指定キーが押し続けられていないときには前記分析データの波形を拡大するように制御することを特徴とする請求項２に記載の表示制御装置。
【請求項４】
前記分析データ解析部は、以前実行された前記分析データの波形の拡大処理および縮小処理を履歴として記憶手段に記憶し、入力操作によりアンドゥが指定されると、以前実行された前記分析データの波形の拡大処理が行われる前の前記分析データの波形に縮小し、以前実行された前記分析データの波形の縮小処理が行われる前の前記分析データの波形に拡大することを特徴とする請求項２または請求項３に記載の表示制御装置。
【請求項５】
前記分析制御部は、分析装置に注入された試料を分析して前記分析データの波形を取得し、前記表示装置は、前記分析データの波形のＸ軸には保持時間または波長、Ｙ軸には信号強度とする２次元のグラフを前記表示領域に表示することを特徴とする請求項１ないし請求項４のいずれか１項に記載の表示制御装置。
【請求項６】
前記分析データ解析部は、前記表示領域内の指定領域が入力されると、前記表示範囲のＸ軸およびＹ軸を指定領域に対応する前記表示範囲に縮小することを特徴とする請求項１ないし請求項５のいずれか１項に記載の表示制御装置。
【請求項７】
前記分析データ解析部は、前記表示領域外のＸ軸目盛り上に指定領域が入力されると、前記表示範囲のＸ軸を指定領域のＸ軸に対応する前記表示範囲に縮小することを特徴とする請求項１ないし請求項５のいずれか１項に記載の表示制御装置。
【請求項８】
前記分析データ解析部は、前記表示領域外のＹ軸目盛り上に指定領域が入力されると、前記表示範囲のＹ軸を指定領域のＹ軸に対応する前記表示範囲に縮小することを特徴とする請求項１ないし請求項５のいずれか１項に記載の表示制御装置。
【請求項９】
入力装置を介して入力された入力操作に従い、分析データの波形を表示する表示領域を表示装置に表示する表示制御方法であって、
表示制御装置は、分析制御部および分析データ解析部を有し、
前記分析制御部は、前記分析データの波形を取得し、
前記分析データ解析部は、入力操作により前記表示領域への指定領域が入力されると、前記表示領域に現在表示している前記分析データの表示範囲を指定領域内に収めるように縮小して表示し、かつ、縮小して表示した前記指定領域外の表示領域を表示することで、前記表示領域に表示されている前記分析データの波形を縮小すること
を特徴とする表示制御方法。
【請求項１０】
前記分析データ解析部は、入力操作により前記表示領域への指定領域が入力されると、前記表示領域の新たな前記表示範囲を、現在表示している前記表示領域の指定領域に対応する前記表示範囲に変更することで、前記表示領域に表示されている前記分析データの波形を拡大することを特徴とする請求項９に記載の表示制御方法。
【請求項１１】
前記分析データ解析部は、入力操作により指定キーが押し続けられていたときには前記分析データの波形を縮小し、指定キーが押し続けられていないときには前記分析データの波形を拡大するように制御することを特徴とする請求項１０に記載の表示制御方法。
【請求項１２】
前記分析データ解析部は、以前実行された前記分析データの波形の拡大処理および縮小処理を履歴として記憶手段に記憶し、入力操作によりアンドゥが指定されると、以前実行された前記分析データの波形の拡大処理が行われる前の前記分析データの波形に縮小し、以前実行された前記分析データの波形の縮小処理が行われる前の前記分析データの波形に拡大することを特徴とする請求項１０または請求項１１に記載の表示制御方法。
【請求項１３】
前記分析制御部は、分析装置に注入された試料を分析して前記分析データの波形を取得し、前記表示装置は、前記分析データの波形のＸ軸には保持時間または波長、Ｙ軸には信号強度とする２次元のグラフを前記表示領域に表示することを特徴とする請求項９ないし請求項１２のいずれか１項に記載の表示制御方法。
【請求項１４】
前記分析データ解析部は、前記表示領域内の指定領域が入力されると、前記表示範囲のＸ軸およびＹ軸を指定領域に対応する前記表示範囲に縮小することを特徴とする請求項９ないし請求項１３のいずれか１項に記載の表示制御方法。
【請求項１５】
前記分析データ解析部は、前記表示領域外のＸ軸目盛り上に指定領域が入力されると、前記表示範囲のＸ軸を指定領域のＸ軸に対応する前記表示範囲に縮小することを特徴とする請求項９ないし請求項１３のいずれか１項に記載の表示制御方法。
【請求項１６】
前記分析データ解析部は、前記表示領域外のＹ軸目盛り上に指定領域が入力されると、前記表示範囲のＹ軸を指定領域のＹ軸に対応する前記表示範囲に縮小することを特徴とする請求項９ないし請求項１３のいずれか１項に記載の表示制御方法。
【請求項１７】
請求項９ないし請求項１６のいずれか１項に記載の表示制御方法を、コンピュータである表示制御装置に実行させるための表示制御プログラム。
【発明の詳細な説明】
【技術分野】
【０００１】
本発明は、表示制御装置、表示制御方法、および、表示制御プログラムに関する。
【背景技術】
【０００２】
操作端末は、分析装置が検出して分析した分析データを、ディスプレイなどの表示装置の表示画面上の表示領域に波形として表示させる。操作端末のオペレータは、表示された波形を目視して、データ解析を行う。操作端末は、オペレータからＧＵＩ（Graphical User Interface）を介して、分析条件の設定指示や分析データの表示指示などの操作の入力を受け付ける。
【０００３】
なお、表示領域は、波形表示が描かれる表示画面上の領域である。表示領域は、例えば、表示画面上のウィンドウ枠の内側に設定される。
【０００４】
表示範囲は、表示領域に表示される波形表示の範囲である。例えば、波形表示の全範囲について、Ｘ軸が０〜１００万、Ｙ軸が０〜６０万であるとする。波形表示全体を縦横２×２＝４分割してその左上の範囲を表示するとき、表示範囲は、始点（０，６０万）〜終点（５０万，３０万）である。このように、表示範囲は矩形であるとき、始点（左上点）と終点（右下点）との組で表現される。
【０００５】
表示画面上の表示領域に表示できる情報は、ディスプレイのサイズ（インチ数）や解像度（画素数）によって制約されるため、限られた情報となってしまう。そこで、表示領域の大きさを変えずに、現在の表示範囲からオペレータが所望する表示範囲（所望範囲）に変更する表示範囲変更操作を行うことで、オペレータは、波形表示からデータ解析を行う。
【０００６】
表示範囲変更操作は、現在の表示範囲とは関係なしにこれから表示する表示範囲を直接指定する方式（絶対的な指定）と、現在の表示範囲を変更することによりこれから表示する表示範囲を指定する方式（相対的な指定）と、に分類される。オペレータは、所望範囲をあらかじめ知っているケースは少ないため、相対的な指定により現在の表示範囲を繰り返し変更する試行錯誤によって、所望範囲を探索する。
【０００７】
相対的な指定による表示範囲変更操作は、現在の表示範囲のサイズは変えずに表示範囲の縦横をスライドする「移動操作」、現在の表示範囲よりもこれから表示する表示範囲を広くすることにより、現在の表示範囲に表示されている波形を縮小する「縮小操作」、および、現在の表示範囲よりもこれから表示する表示範囲を狭くすることにより、現在の表示範囲に表示されている波形を拡大する「拡大操作」が挙げられる。
【０００８】
なお、縮小操作の一例として、特許文献１に記載された手法は、表示領域に表示されているオブジェクトに対し、オブジェクトをドラッグしながら表示領域外に移動すると、オブジェクトを縮小して全表示領域を表示する。
【特許文献１】特開平９−３０５３４４号公報
【発明の開示】
【発明が解決しようとする課題】
【０００９】
所望範囲を表示領域に表示するための試行錯誤の負担を軽減するには、表示範囲変更操作の回数を少なくする必要がある。
【００１０】
まず、拡大操作においては、現在の表示領域の一部に所望範囲が小さく確認できるときには、その所望範囲を表示している表示領域をマウスなどのポインティングデバイスを用いて選択すると、その選択した領域に対応する指定範囲を新たな表示範囲として表示領域全体に拡大表示する。このときには、１回の拡大操作で所望範囲を表示できる。
【００１１】
一方、縮小操作においては、現在の表示領域に所望範囲の全てが表示されているわけではないので、１回の縮小操作での所望範囲の指定は困難である。その結果、縮小しすぎてしまい、再度拡大するなどして、表示範囲変更操作の回数が余分に増えてしまう。
【００１２】
そこで本発明は、表示画面上の表示領域にオペレータの所望範囲を表示するための試行錯誤の負担を軽減することを、主な課題とする。
【課題を解決するための手段】
【００１３】
前記課題を解決するため、本発明は、入力装置を介して入力された入力操作に従い、分析データの波形を表示する表示領域を表示装置に表示する表示制御装置であって、前記表示制御装置が、分析制御部および分析データ解析部を有し、前記分析制御部が、前記分析データの波形を取得し、前記分析データ解析部が、入力操作により前記表示領域への指定領域が入力されると、前記表示領域に現在表示している前記分析データの表示範囲を指定領域内に収めるように縮小して表示し、かつ、縮小して表示した前記指定領域外の表示領域を表示することで、前記表示領域に表示されている前記分析データの波形を縮小することを特徴とする。その他の手段は、後記する。
【発明の効果】
【００１４】
本発明によれば、現在表示している表示領域の表示範囲が指定領域内に収められる。これにより、縮小サイズおよび縮小位置が１回の指定領域の入力操作で指定され、表示画面上の表示領域にオペレータの所望範囲を表示するための試行錯誤の負担を軽減することが可能になった。
【発明を実施するための最良の形態】
【００１５】
以下に、本発明の一実施形態である分析システムについて、図面を参照して詳細に説明する。
【００１６】
図１は、分析システムを示す構成図である。
【００１７】
分析システムは、操作端末１０１および分析装置１０２を通信ケーブル１０３で接続することにより構成される。なお、操作端末１０１は、パーソナルコンピュータなどのコンピュータである。分析装置１０２は、例えば、アミノ酸組成を定量・定性分析するアミノ酸分析装置、高速液体クロマトグラフ装置、質量分析装置、または、分光光度計である。
【００１８】
アミノ酸分析装置を一例に、分析装置１０２について説明する。分析装置１０２は、分析対象の試料を運ぶための溶媒を流す溶媒供給部１１５、試料を注入する注入部１１６、試料から各成分を分離する分離部１１７、分離された試料の各成分を検出して分析データの波形を時系列で検出する検出部１１８を有する。さらに、分析装置１０２は、各構成要素を制御するための制御部１１３、および、操作端末１０１と通信を行うための通信処理部１１４を有する。
【００１９】
なお、分離部１１７には、カラムが用いられる。カラムに注入された試料は、試料を構成する各成分の種別によって、カラム内に留まる時間に差異が生じる。例えば、試料が３つの成分から構成されているとき、３つの成分それぞれのカラム内で留まる時間が互いに異なる。この結果、分析データのＸ軸が保持時間、Ｙ軸が信号強度とすると、３つの成分に対応した３つのピークが波形として出現することが期待される。
【００２０】
操作端末１０１は、操作端末１０１を制御する中央処理部１０９、ハードディスク１０８、分析データを一時的に記憶するＲＡＭ（Random Access Memory）１１０、および、分析装置１０２と通信を行う通信機器１１２を含む。操作端末１０１には、波形を表示するディスプレイ１０４、文字入力を行うキーボード１０５、指定範囲の入力を行うマウス１０６が接続される。また、操作端末１０１は、キーボード１０５およびマウス１０６を制御する入出力制御部１０７、および、操作端末１０１の各構成要素を互いに接続する内部バス１１１を有する。
【００２１】
ハードディスク１０８には、オペレーティングシステム、ディスプレイ１０４やキーボード１０５などを制御するための制御ドライバソフトウェア、分析装置１０２を制御するソフトウェア、分析データを解析するソフトウェア等が格納されている。操作端末１０１のオペレーティングシステムは、例えば、Ｗｉｎｄｏｗｓ（登録商標）が起動されており、ハードディスク１０８に格納される各ソフトウェアはＷｉｎｄｏｗｓ（登録商標）上で起動されるアプリケーションとして動作する。
【００２２】
図２は、操作端末を示す構成図である。
【００２３】
操作端末１０１は、分析条件の作成および分析を実行するための分析制御部２０１、および、分析データを解析する分析データ解析部２０２を有する。これらの各構成要素は、例えば、ソフトウェアとして実装されており、操作端末のＣＰＵ（Central Processing Unit）が実行することで、実現される。
【００２４】
まず、分析制御部２０１は、分析を実行するための分析条件の作成を行い、分析条件ＤＢ２０３に記憶しておく。次に、分析制御部２０１は、分析を実行するための分析条件を分析条件ＤＢ２０３内から選択し、選択した分析条件に基づいて分析装置１０２を制御するコマンド群を生成する。分析制御部２０１は、生成したコマンド群を分析装置１０２へ送信する。
【００２５】
分析装置１０２は、受信したコマンド群をもとに試料の分析を遂行する。さらに、分析装置１０２は、分析の進捗状況と分析過程で得られた分析データを分析制御部２０１へ送信する。分析制御部２０１は、分析装置１０２から得られた分析データを、分析条件とともに、分析データ格納ＤＢ２０４へ格納し記憶しておく。
【００２６】
分析制御部２０１は、分析装置１０２から得られた分析データと進捗状況とを、ディスプレイ１０４の進捗表示欄や結果表示欄などの出力欄に表示する。
【００２７】
分析データ解析部２０２は、分析データを、分析データ格納ＤＢ２０４から選択して表示する。分析データ解析部２０２は、ディスプレイ１０４に対して、分析条件をディスプレイ１０４の分析条件表示欄などの出力欄に、分析データをディスプレイ１０４の波形表示欄などの出力欄に、それぞれ出力する。オペレータは、分析データ解析部２０２の出力欄に表示された情報をもとに、データ解析を実行する。
【００２８】
図３は、分析データの波形表示欄を示す説明図である。分析データを表示する波形表示欄は、Ｘ軸には保持時間、Ｙ軸には強度をプロットしたものである。
【００２９】
図３（ａ）は、表示範囲が分析データの全体であるときの表示領域である。表示領域３０４は、表示範囲が分析データの全体であり、波形の全体像を表示する。表示領域３０４上の指定領域３０５は、オペレータがマウスなどのポインティングデバイスを用いて、ドラッグ操作などで指定される。
【００３０】
図３（ｂ）は、図３（ａ）の表示範囲の一部を拡大した表示領域である。表示領域３０１は、Ｘ軸のスケールを表示するＸ軸スケール表示領域３０２、および、Ｙ軸のスケールを表示するＹ軸スケール表示領域３０３により２次元波形を表示する。表示領域３０１の表示範囲は、指定領域３０５により指定された範囲である。つまり、表示領域３０４で拡大したい指定領域３０５を選択した場合、指定領域３０５に対応する表示範囲が表示領域３０１に拡大表示される。
【００３１】
なお、表示領域３０４内の指定領域３０５は、ドラッグ操作などにより、その位置およびサイズが変更可能である。指定領域３０５の変更に連動して、表示領域３０１の表示範囲は更新され、表示領域３０１は更新された表示範囲を表示する。さらに、表示領域３０１は、表示範囲の変更に連動して、Ｘ軸スケール表示領域３０２およびＹ軸スケール表示領域３０３のスケール軸および目盛りを変化させ、表示内容に適合させる。
【００３２】
さらに、表示領域３０１は、後記する表示範囲変更操作により、表示範囲が次々に変更されると、最新の表示範囲を表示する。なお、表示範囲変更操作の履歴情報を記憶手段に記憶し、表示範囲変更操作のやり直し（アンドゥ）を実現してもよい。これにより、縮小操作により所望範囲が指定できなかったときには、その縮小操作を行う前の表示範囲に戻すことが容易になり、操作回数を減らすことができる。
【００３３】
図４は、波形表示処理を示すフローチャートである。
【００３４】
図４のフローチャートは、オペレータによってマウスを用いて波形表示欄での拡大・縮小操作（ドラッグ操作）が行われた場合、入出力制御部１０７から中央処理部１０９に対してドラッグ操作が行われたことを示すイベントが通知される状態から開始する。
【００３５】
まず、指定領域の検出が行われる。中央処理部１０９は、ドラッグ操作が通知されると、ドラッグ操作を開始した座標（開始点）を検出する（Ｓ１）。さらに、中央処理部１０９は、ドラッグ操作を終了した座標（終了点）を検出する（Ｓ２）。この開始点から終了点までの矩形領域が、指定領域となる。
【００３６】
次に、表示範囲の変更の指定が、二次元（Ｘ軸およびＹ軸）か、一次元（Ｘ軸またはＹ軸）かを判定する。具体的には、中央処理部１０９は、ドラッグ操作の開始点が表示領域３０１内にあるか否かを判定し（Ｓ３）、表示領域３０１内にあるときには（Ｓ３，Ｙｅｓ）、二次元とし、表示領域３０１内にないときには（Ｓ３，Ｎｏ）一次元とする。
【００３７】
まず、二次元の表示範囲の変更を説明する。中央処理部１０９は、ドラッグ操作の際にキーボードの修飾キー（シフトキーなど）が押し続けられていたかどうかを判定し（Ｓ１０）、押し続けられた場合（Ｓ１０，Ｙｅｓ）には二次元の縮小操作（Ｓ１１）を、押し続けられていない場合（Ｓ１０，Ｎｏ）には二次元の拡大操作（Ｓ１２）を、それぞれ実行する。
【００３８】
一方、一次元の表示範囲の変更を説明する。中央処理部１０９は、ドラッグ操作の際にキーボードの修飾キー（シフトキーなど）が押し続けられていたかどうかを判定し（Ｓ２０）、押し続けられた場合（Ｓ２０，Ｙｅｓ）には一次元の縮小操作（Ｓ２１）を、押し続けられていない場合（Ｓ２０，Ｎｏ）には一次元の拡大操作（Ｓ２２）を、それぞれ実行する。
【００３９】
なお、Ｓ２１およびＳ２２において、表示領域にあるＹ軸スケール表示領域３０３でドラッグ操作をした場合には、Ｙ軸のみ拡大または縮小操作を行う。一方、Ｘ軸スケール表示領域３０２でドラッグ操作をした場合には、Ｘ軸のみ拡大または縮小操作を行う。
【００４０】
ここで、二次元の拡大操作（Ｓ１２）は、指定領域に表示されている表示範囲を、表示領域の全体に表示する表示範囲とすることである。また、二次元の縮小操作（Ｓ１１）は、後記する。
【００４１】
また、一次元の拡大操作（Ｓ２２）は、指定領域のＸ軸またはＹ軸のいずれかの範囲を新たな表示範囲とし、もう片方の表示範囲を変更しないことである。また、一次元の縮小操作（Ｓ２１）は、後記する。
【００４２】
図５は、二次元の縮小操作（Ｓ１１）を示す説明図である。図５（ａ）は縮小操作前の表示領域、図５（ｂ）は縮小操作後の表示領域をそれぞれ示す。
【００４３】
図５（ａ）の表示領域６０１内において、オペレータがシフトキーを押したままマウスを使用してドラッグ操作を開始すると、ドラッグ操作開始点（Ｘ１、Ｙ１）からマウスの移動とともに指定領域６０３が出現する。オペレータがドラッグ操作を実行しながら指定領域６０３の矩形領域サイズ及び位置を変更し、指定領域６０３が所望領域になるようにドラッグ操作終了点（Ｘ２、Ｙ２）を決定する。
【００４４】
図５（ａ）の指定領域６０３が決定すると、その指定領域６０３に表示されている表示範囲を、図５（ｂ）の表示領域６０１の全体に表示する。換言すると、図５（ａ）において表示している表示領域６０１の表示範囲が、ドラッグ操作によって出現した指定領域６０３の表示範囲に縮小される。つまり、図５（ｂ）の表示範囲は図５（ａ）の表示範囲を含むため、図５（ｂ）は図５（ａ）に対して縮小操作となる。また、図５（ｂ）の指定領域６０３の外側にも、指定領域６０３周辺の分析データを表示する。
【００４５】
図６は、Ｘ軸のみの一次元の縮小操作（Ｓ２１）を示す説明図である。図６（ａ）は縮小操作前の表示領域、図６（ｂ）は縮小操作後の表示領域をそれぞれ示す。
【００４６】
図６（ａ）の表示領域８０１外のＸ軸スケール上において、ドラッグ操作により、ドラッグ操作開始点（Ｘ３、Ｙ３）からドラッグ操作終了点（Ｘ４、Ｙ４）までの指定領域８０３を決定する。
【００４７】
図６（ａ）の指定領域８０３が決定すると、図６（ｂ）の表示領域８０１は、図６（ａ）の表示領域８０１に表示されている表示範囲を、Ｘ軸方向の範囲が指定領域８０３のＸ軸と同じであり、Ｙ軸方向の範囲が図６（ａ）の表示領域８０１のＹ軸と同じである領域８０４に変更して、分析データを表示する。つまり、図６（ａ）の表示領域８０１の表示範囲がドラッグ操作によって選択された指定領域８０３のＸ軸方向の幅のみ縮小表示することになる。また、図６（ｂ）の指定領域８０４の外側にも、指定領域８０４周辺の分析データを表示する。
【００４８】
図７は、Ｙ軸のみの一次元の縮小操作（Ｓ２１）を示す説明図である。図７（ａ）は縮小操作前の表示領域、図７（ｂ）は縮小操作後の表示領域をそれぞれ示す。
【００４９】
図７（ａ）の表示領域９０１外のＹ軸スケール上において、ドラッグ操作により、ドラッグ操作開始点（Ｘ５、Ｙ５）からドラッグ操作終了点（Ｘ６、Ｙ６）までの指定領域９０３を決定する。
【００５０】
図７（ａ）の指定領域９０３が決定すると、その指定領域９０３のＹ軸に表示されている表示範囲を、図７（ｂ）の表示領域９０１の全体に表示する。
【００５１】
図７（ａ）の指定領域９０３が決定すると、図７（ｂ）の表示領域９０１は、図７（ａ）の表示領域９０１に表示されている表示範囲を、Ｙ軸方向の範囲が指定領域９０３のＹ軸と同じであり、Ｘ軸方向の範囲が図７（ａ）の表示領域９０１のＸ軸と同じである領域９０４に変更して、分析データを表示する。つまり、図７（ａ）の表示領域９０１の表示範囲がドラッグ操作によって選択された指定領域９０３のＹ軸方向の幅のみ縮小表示することになる。また、図７（ｂ）の指定領域９０４の外側にも、指定領域９０４周辺の分析データを表示する。
【００５２】
以上説明した３種類の縮小操作は、それぞれドラッグ操作によって出現した各指定領域が表示範囲を決定するので、縮小前の表示範囲と縮小後の表示範囲との対比関係が視覚的になる。この１回の縮小操作により、表示範囲が所望範囲となる可能性が高い。
【００５３】
以上の説明のように、本発明の波形表示制御方法は、特に以下のような場合に有効的である。
【００５４】
図８は、高速液体クロマトグラフおよびアミノ酸分析装置が表示するクロマトグラムの表示領域を示す説明図である。
【００５５】
表示領域１００２は、縮小前の指定領域１００１において指定された表示範囲を含む、縮小後の表示範囲を全体に表示している。縮小前の表示領域１００２は、ピークＰ１は表示していたが、ピークＰ２は表示していない。一方、縮小後の表示領域１００２は、ピークＰ１およびピークＰ２を表示する。オペレータは、１つの表示領域１００２内にピークＰ１およびピークＰ２の両方を確認することにより、解析が可能となる。
【００５６】
なお、縮小後の表示範囲が全体の表示範囲に比べて小さい場合、表示範囲を全体にまで縮小することは、かえってピークＰ１およびピークＰ２以外の余分な情報まで表示する必要があるため、ピークＰ１およびピークＰ２の発見を阻害してしまう。よって、高精度な解析を実施するためには、表示範囲を全体にして表示するよりも、着目したピークＰ１と表示範囲外の近隣するピークＰ２を含んだ波形が表示領域１００２に表示されていたほうが望ましい。
【００５７】
図９は、質量分析装置が表示するマススペクトルの表示領域を示す説明図である。図８と同様に、着目したピークＰ３の近傍にあるピークＰ４を発見するために、指定領域１００３を指定することにより、ピークＰ３およびピークＰ４を同じ表示領域１００４に表示するとともに、その２つのピーク以外の余分な情報の表示を抑制している。
【００５８】
以上説明した指定領域による縮小操作の顕著な効果を主張するために、比較例との比較を行う。比較例は、以下の（１）〜（４）である。
【００５９】
比較例（１）として、以前の拡大操作の履歴情報から、拡大操作前の表示範囲に戻す（アンドゥ）比較例が挙げられる。この比較例では、拡大履歴が多い場合、所望範囲を表示領域に表示するためには、アンドゥ操作を何度も繰り返す必要がある。一方、指定領域による縮小操作では、過去の操作履歴の回数に依存せず、少ない操作回数で所望範囲を表示領域に表示する。
【００６０】
比較例（２）として、表示範囲を分析データの全体を網羅する表示範囲まで縮小する比較例が挙げられる。この比較例では、表示範囲を全体とした後、さらに表示範囲を所望範囲にするため、拡大操作を行う必要がある。しかし、分析データの全体を表示すると、所望範囲内にあるピークなどの特徴的なグラフ形状は小さくなりすぎて見失ってしまうので、表示範囲を所望範囲にすることは困難である。一方、指定領域による縮小操作では、既にピークなどの特徴的なグラフ形状を発見した後に縮小するため、少ない操作回数で所望範囲を表示領域に表示する。
【００６１】
比較例（３）として、現在の表示範囲とは関係なしにこれから表示する表示範囲を数値入力などで直接指定する方式（絶対的な指定）が挙げられる。この比較例では、所望範囲をあらかじめ知らないオペレータは、当てずっぽうで表示範囲の数値入力を行うため、波形がどのように表示領域に表示されるか分からず、表示範囲を所望範囲にするためには多数の操作が必要になる。一方、指定領域による縮小操作では、現在の表示範囲を変更することによりこれから表示する表示範囲を指定する方式（相対的な指定）なので、表示範囲の候補を効率的に絞り込むことができ、少ない操作回数で所望範囲を表示領域に表示する。
【００６２】
比較例（４）として、地図を扱うソフトウェアのように、拡大・縮小スクロールバーを用いてマウス等でドラッグし、現在表示されている表示範囲の中心位置を固定して拡大・縮小する方法が挙げられる。この比較例では、例えば、現在位置されているピークの右側にピークがあるか否かを確認するときでも、ピークの右側だけでなく、ピークの左側まで併せて表示範囲に含めて縮小されてしまうので、使い勝手が悪い。一方、指定領域による縮小操作では、表示範囲のサイズ（縮尺）だけでなく位置も併せて１回の操作で指定できるので、少ない操作回数で所望範囲を表示領域に表示する。
【図面の簡単な説明】
【００６３】
【図１】本発明の一実施形態に関する分析システムを示す構成図である。
【図２】本発明の一実施形態に関する操作端末を示す構成図である。
【図３】本発明の一実施形態に関する分析データの波形表示欄を示す説明図である。
【図４】本発明の一実施形態に関する波形表示処理を示すフローチャートである。
【図５】本発明の一実施形態に関する二次元の縮小操作を示す説明図である。
【図６】本発明の一実施形態に関するＸ軸のみの一次元の縮小操作を示す説明図である。
【図７】本発明の一実施形態に関するＹ軸のみの一次元の縮小操作を示す説明図である。
【図８】本発明の一実施形態に関する高速液体クロマトグラフおよびアミノ酸分析装置が表示するクロマトグラムの表示領域を示す説明図である。
【図９】本発明の一実施形態に関する質量分析装置が表示するマススペクトルの表示領域を示す説明図である。
【符号の説明】
【００６４】
１０１  操作端末
１０２  分析装置
１０３  通信ケーブル
１０４  ディスプレイ
１０５  キーボード
１０６  マウス
１０７  入出力制御部
１０８  ハードディスク
１０９  中央処理部
１１１  内部バス
１１２  通信機器
１１３  制御部
１１４  通信処理部
１１５  溶媒供給部
１１６  注入部
１１７  分離部
１１８  検出部
２０１  分析制御部
２０２  分析データ解析部
２０３  分析条件ＤＢ
２０４  分析データ格納ＤＢ
【図１】
2008101960.tif 000003
【図２】
2008101960.tif 000004
【図３】
2008101960.tif 000005
【図４】
2008101960.tif 000006
【図５】
2008101960.tif 000007
【図６】
2008101960.tif 000008
【図７】
2008101960.tif 000009
【図８】
2008101960.tif 000010
【図９】
2008101960.tif 000011